(57)【要約】【課題】消臭機能と吸湿機能とを備え、安価な消臭マットを製造することが可能な消臭マットの製造方法および消臭マットを提供すること。【解決手段】通気性を有する第１の封止シートと、第１の封止シートよりも通気性が小さい第２の封止シートとによって、長手方向及び幅方向に所定間隔をおいて７ｍｍ以下の粒径を有するゼオライトを挟み込む第１の工程と、隣接するゼオライト間の第１の封止シートと第２の封止シートとを接着し、ゼオライトを第１及び第２の封止シートによりシールする第２の工程とを含む消臭マットの製造方法と、ゼオライトが収容された複数の収容部１ａ間にシール部１ｂが形成された消臭マット１。【選択図】      図１
2004338136.tif 000002
【特許請求の範囲】
【請求項１】
通気性を有する第１の封止シートと、前記第１の封止シートよりも通気性が小さい第２の封止シートとによって、長手方向及び幅方向に所定間隔をおいて７ｍｍ以下の粒径を有するゼオライトを挟み込む第１の工程と、
隣接する前記ゼオライト間の前記第１の封止シートと第２の封止シートとを接着し、前記ゼオライトを前記第１及び第２の封止シートによりシールする第２の工程と、
を含むことを特徴とする消臭マットの製造方法。
【請求項２】
前記第２の工程は、隣接する前記ゼオライト間の前記第１の封止シートと第２の封止シートとを熱融着によって接着することを特徴とする請求項１に記載の消臭マットの製造方法。
【請求項３】
通気性を有する第１の封止シートと前記第１の封止シートよりも通気性が小さい第２の封止シートとの間に、７ｍｍ以下の粒径を有するゼオライトが、長手方向及び幅方向に所定間隔をおいて収容された複数の収容部と、
長手方向及び幅方向に隣接する前記収容部間の前記第１及び第２の封止シートが接着されたシール部と、
を備えたことを特徴とする消臭マット。
【請求項４】
前記第１の封止シートは、前記ゼオライト側に配置される第１の多孔質フィルムと、当該第１の多孔質フィルムの外側に配置され、通気性を有する第１の不織布とを有し、
前記第２の封止シートは、前記ゼオライト側に配置される第２の多孔質フィルムと、当該第２の多孔質フィルムの外側に配置され、前記第１の不織布よりも通気性が小さい第２の不織布とを有していることを特徴とする請求項３に記載の消臭マット。
【請求項５】
前記第１及び第２の不織布は、外表面にエンボス加工が施されていることを特徴とする請求項３又は４に記載の消臭マット。
【請求項６】
前記第１及び第２の不織布は、前記第１の不織布のエンボス模様が前記第２の不織布のエンボス模様よりも粗いか、前記第２の不織布が前記第１の不織布と同じ粗さのエンボス模様を有していることを特徴とする請求項３〜５のいずれか一つに記載の消臭マット。
【請求項７】
前記ゼオライトは、０．５ｍｍ以下の粒径のゼオライトを含む場合、更に飛散抑制剤が混入されていることを特徴とする請求項３〜６のいずれか一つに記載の消臭マット。
【請求項８】
前記飛散抑制剤は、塩化ナトリウム又は塩化カリウムであることを特徴とする請求項３〜７のいずれか一つに記載の消臭マット。
【発明の詳細な説明】
【０００１】
【発明の属する技術分野】
この発明は、消臭マットの製造方法および消臭マットに関するものである。
【０００２】
【従来の技術】
従来、病人や老人等の布団やベッドにおいては、悪臭の除去や吸湿を目的として種々の消臭マットが提案されている（例えば、特許文献１参照。）。この消臭マットは、球換算半径０．５〜２ｍｍの粒度成分を５０ｗｔ％以上含む竹炭粒が、通気性を有するシートにより覆われた状態で封入されている竹炭マットであり、竹炭の有する消臭機能と遠赤外線放射機能を長期間維持することができる。
【０００３】
【特許文献１】
特開２００２−２００６８３号公報
【０００４】
【発明が解決しようとする課題】
ところで、特許文献１の竹炭マットで使用する竹炭は、活性炭と同様に、臭気を吸着することで消臭機能を発揮しており、臭気を分解するものではない。このため、寝たきりの病人等の介護用に竹炭マットを使用する場合には、悪臭除去の面で必ずしも満足すべきものではなかった。また、一般に、市販されている消臭マットは、価格が高く、自宅介護或いは病院や老人介護施設等で気軽に使用できる程に安価ではないという問題があった。
【０００５】
この発明は、上述した従来技術による問題点を解消するため、消臭機能と吸湿機能とを備え、安価な消臭マットを製造することが可能な消臭マットの製造方法および消臭マットを提供することを目的とする。
【０００６】
【課題を解決するための手段】
上述した課題を解決し、目的を達成するため、請求項１の発明に係る消臭マットの製造方法は、通気性を有する第１の封止シートと、前記第１の封止シートよりも通気性が小さい第２の封止シートとによって、長手方向及び幅方向に所定間隔をおいて７ｍｍ以下の粒径を有するゼオライトを挟み込む第１の工程と、隣接する前記ゼオライト間の前記第１の封止シートと第２の封止シートとを接着し、前記ゼオライトを前記第１及び第２の封止シートによりシールする第２の工程と、を含むことを特徴とする。
【０００７】
請求項１の発明によれば、通気性を有する第１の封止シートと第１の封止シートよりも通気性が小さい第２の封止シートとによって挟み込んだゼオライトを、第１及び第２の封止シートを接着することによりシールするようにしている。
【０００８】
また、請求項２の発明に係る消臭マットの製造方法は、上記の発明において、前記第２の工程は、隣接する前記ゼオライト間の前記第１の封止シートと第２の封止シートとを熱融着によって接着することを特徴とする。
【０００９】
請求項２の発明によれば、ゼオライトが洩れ出ることのないように第１及び第２の封止シートを接着している。
【００１０】
また、上述した課題を解決し、目的を達成するため、請求項３の発明に係る消臭マットは、通気性を有する第１の封止シートと前記第１の封止シートよりも通気性が小さい第２の封止シートとの間に、７ｍｍ以下の粒径を有するゼオライトが、長手方向及び幅方向に所定間隔をおいて収容された複数の収容部と、長手方向及び幅方向に隣接する前記収容部間の前記第１及び第２の封止シートが接着されたシール部と、を備えたことを特徴とする。
【００１１】
請求項３の発明によれば、ゼオライトが収容された複数の収容部を、シール部によってシールするようにしている。
【００１２】
また、請求項４の発明に係る消臭マットは、上記の発明において、前記第１の封止シートは、前記ゼオライト側に配置される第１の多孔質フィルムと、当該第１の多孔質フィルムの外側に配置され、通気性を有する第１の不織布とを有し、前記第２の封止シートは、前記ゼオライト側に配置される第２の多孔質フィルムと、当該第２の多孔質フィルムの外側に配置され、前記第１の不織布よりも通気性が小さい第２の不織布とを有していることを特徴とする。
【００１３】
請求項４の発明によれば、第１の封止シートの通気性を第２の封止シートの通気性よりも大きくすることで、使用者から発生する臭気を効率良く吸着分解し、汗等の湿気を吸湿するようにしている。
【００１４】
また、請求項５の発明に係る消臭マットは、上記の発明において、前記第１及び第２の不織布は、外表面にエンボス加工が施されていることを特徴とする。
【００１５】
請求項５の発明によれば、使用者の体温保持や肌触り等が好ましいものとなるようにしている。
【００１６】
また、請求項６の発明に係る消臭マットは、上記の発明において、前記第１及び第２の不織布は、前記第１の不織布のエンボス模様が前記第２の不織布のエンボス模様よりも粗いか、前記第２の不織布が前記第１の不織布と同じ粗さのエンボス模様を有していることを特徴とする。
【００１７】
請求項６の発明によれば、消臭マットが寝具（シーツ）に対してずれないようにしている。
【００１８】
また、請求項７の発明に係る消臭マットは、上記の発明において、前記ゼオライトは、０．５ｍｍ以下の粒径のゼオライトを含む場合、更に飛散抑制剤が混入されていることを特徴とする。
【００１９】
請求項７の発明によれば、製造時におけるゼオライトの飛散を抑制し、シール部のシール性の低下を抑えるようにしている。
【００２０】
また、請求項８の発明に係る消臭マットは、上記の発明において、前記飛散抑制剤は、塩化ナトリウム又は塩化カリウムであることを特徴とする。
【００２１】
請求項８の発明によれば、安価な素材を使用することでゼオライト粉の飛散を簡易に抑制すると共に、消臭マットのコストダウンを図るようにしている。
【００２２】
ここで、ゼオライトは、粒径が大きいと、消臭マットに用いた場合、粒子が体に当たって、横になった際の触感が悪いことから、粒径が７ｍｍ以下、好ましくは、２ｍｍ以下のものを使用する。但し、ゼオライトは、粒径を小さくした方が単位体積当たりの表面積が大きくなって高い消臭機能と吸湿機能を発揮することが可能である。
【００２３】
しかし、粉、例えば、少なくとも０．５ｍｍ以下の粒径を含むゼオライトを用いると、微細なゼオライト粉が飛散し易くなる。従って、微細粉を多量に含むゼオライトを用いた場合、ゼオライトをシートに封入するときに、微細なゼオライト粉が飛散することがある。このため、消臭マットを製造する際に、飛散した微細粉がシート同士を接着するシール部に紛れ込むと、シート同士が接着し難くなってシール部のシール性が低下し、製造された消臭マットからゼオライト粉が洩れ出し易くなってしまうことに注意する必要がある。
【００２４】
【発明の実施の形態】
以下、図面を参照して、この発明に係る消臭マットの製造方法および消臭マットの好適な実施の形態について説明する。
【００２５】
まず、この発明の消臭マットの製造方法および消臭マットに係る実施の形態について説明する。図１は、この発明の実施の形態である消臭マットの平面図である。図２は、図１の消臭マットにおけるゼオライトの収容部の断面図である。消臭マット１は、通気性を有する表封止シートと、表封止シートよりも通気性が小さい裏封止シートとでゼオライトを封止したマットであり、例えば、布団やベッドとシーツとの間に配置して使用される。消臭マット１は、図１に示すように、複数の収容部１ａと、複数の収容部１ａを長手方向及び幅方向に沿ってマトリクス状に区画するシール部１ｂとを備えている。
【００２６】
収容部１ａは、消臭機能と脱湿機能とを有するゼオライトが収容されている。収容部１ａは、図２に示すように、表封止シート５と裏封止シート６とによってゼオライト２が封止されている。シール部１ｂは、長手方向及び幅方向に隣接する収容部１ａ間の表封止シート５と裏封止シート６との間を熱融着によって接着した部分で、ゼオライト２を各収容部１ａにシールしている。ここで、消臭マット１は、例えば、６５×１２０ｃｍのサイズで、収容部１ａは、６×８．５ｃｍ、シール部１ｂは、消臭マット１の長手方向において１．５ｃｍ、幅方向で２ｃｍに設定されるが、これらの寸法は使用者の体型等に応じて任意に変更してよい。
【００２７】
ゼオライト２は、７ｍｍ以下、好ましくは、２ｍｍ以下の粒径を有する天然或いは合成のゼオライト粉末で、臭気を吸着・分解することで消臭機能と、使用者の体から放出される汗等の水分を吸収する脱湿機能とを有している。ゼオライト２は、天然のものとしては、比較的軟質のクリノプチロライトと硬質のモルデナイトを使用することができる。ここで、ゼオライト２は、０．５ｍｍ以下の粒径を含む場合には、図３に示すように、塩化ナトリウム（ＮａＣｌ）や塩化カリウム（ＫＣｌ）等の飛散抑制剤３を混入する。このように飛散抑制剤３を混入すると、ゼオライト２は、飛散抑制剤３に微粉２ａが付着するので、微粉２ａの飛散が抑えられる。
【００２８】
表封止シート５は、ゼオライト側に配置される第１多孔質フィルム５ａと、第１多孔質フィルム５ａの外側に配置される第１不織布５ｃとが通気性を有する接着層５ｂを介して一体に接着された第１の封止シートである。第１多孔質フィルム５ａは、微細な通気孔（図示せず）が多数形成された通気性を有するポリエチレンフィルムである。接着層５ｂは、ナイロン系の通気性を有する接着剤である。第１不織布５ｃは、１００ｇ／ｍ２の重さで、ナイロン製の通気性を有する不織布で、使用者の体温保持，肌触り並びにシーツのずれ防止等を考慮して、図２に示すように、表面に粗い凹凸模様Ｅｂ１がエンボス加工によって形成されている。
【００２９】
裏封止シート６は、ゼオライト側に配置される第２多孔質フィルム６ａと、第２多孔質フィルム６ａの外側に配置される第２不織布６ｃとが通気性の接着層６ｂを介して一体に接着された第２の封止シートである。第２多孔質フィルム６ａは、微細な通気孔（図示せず）が多数形成された第１多孔質フィルム５ａよりも通気性が小さいポリエチレンフィルムである。接着層６ｂは、ナイロン系の通気性を有する接着剤である。第２不織布６ｃは、４０ｇ／ｍ２の重さで、ナイロンからなる第１不織布５ｃよりも通気性が小さい不織布で、図２に示すように、表面には第１不織布５ｃの凹凸模様Ｅｂ１よりも細かい凹凸模様Ｅｂ２がエンボス加工によって形成されている。このとき、第２不織布６ｃは、第１不織布５ｃと共に収容部１ａからのゼオライト２の漏れ出しを防止しており、第１不織布５ｃと同じものを使用してもよい。
【００３０】
ここで、表封止シート５及び裏封止シート６は、使用者側となる表封止シート５の通気性が裏封止シート６よりも大きく、ゼオライト２が漏れ出さず、安価であれば、多孔質フィルム５ａ，６ａ、接着層５ｂ，６ｂ及び不織布５ｃ，６ｃに関しては特に素材上の限定はない。
【００３１】
消臭マット１は、次に説明する方法によって製造される。先ず、図４（ａ）に示すように、第２多孔質フィルム６ａを上に向けて裏封止シート６を配置し、第２多孔質フィルム６ａの上に長手方向及び幅方向に所定間隔をおいてゼオライト２を収容部１ａに対応する部分に敷き詰める。このとき、ゼオライト２は、長手方向及び幅方向に沿って収容部１ａよりも幾分狭い範囲に敷き詰める。
【００３２】
次に、図４（ｂ）に示すように、ゼオライト２を敷き詰めた裏封止シート６に第１多孔質フィルム５ａを下側にして表封止シート５を被せ、ゼオライト２を表封止シート５と裏封止シート６とで挟み込む。
【００３３】
次いで、ゼオライト２を挟み込んだ表封止シート５と裏封止シート６とを、図４（ｃ）に示すように、シールロール１０とプレーンロール１１との間を通過させる。これにより、ゼオライト２を敷き詰めていない部分を加熱加圧し、表封止シート５の第１多孔質フィルム５ａと裏封止シート６の第２多孔質フィルム６ａとを熱融着によって接着させる。これにより、ゼオライト２を敷き詰めた部分は表封止シート５と裏封止シート６とによってゼオライト２が長手方向及び幅方向に封止された複数の収容部１ａとなり、複数の収容部１ａ間の表封止シート５と裏封止シート６が接着されてゼオライト２を各収容部１ａにシールしているシール部１ｂを備えた図１に示す消臭マット１が製造される。
【００３４】
尚、消臭マット１は、シール部１ｂで切断し、個々の収容部１ａに分離すると、ポケットタイプの消臭・脱湿マットとして靴や鞄の中、カメラ等を保存するキャビネット等に入れて使用したり、冷蔵庫、簡易便器或いは生ごみ用ポリバケツ等の消臭剤として使用することができる。
【００３５】
【発明の効果】
以上説明したように、請求項１の発明によれば、通気性を有する第１の封止シートと、前記第１の封止シートよりも通気性が小さい第２の封止シートとによって、長手方向及び幅方向に所定間隔をおいて７ｍｍ以下の粒径を有するゼオライトを挟み込む第１の工程と、隣接する前記ゼオライト間の前記第１の封止シートと第２の封止シートとを接着し、前記ゼオライトを前記第１及び第２の封止シートによりシールする第２の工程とを含み、請求項３の発明によれば、通気性を有する第１の封止シートと前記第１の封止シートよりも通気性が小さい第２の封止シートとの間に、７ｍｍ以下の粒径を有するゼオライトが、長手方向及び幅方向に所定間隔をおいて収容された複数の収容部と、長手方向及び幅方向に隣接する前記収容部間の前記第１及び第２の封止シートが接着されたシール部とを備えた構成としたので、消臭機能と吸湿機能とを備え、安価な消臭マットを製造することが可能な消臭マットの製造方法および消臭マットを提供することができる。
【００３６】
また、請求項２の発明によれば、前記第２の工程は、隣接する前記ゼオライト間の前記第１の封止シートと第２の封止シートとを熱融着によって接着するので、ゼオライトが洩れ出ることのないように第１及び第２の封止シートを接着することができる。
【００３７】
また、請求項４の発明によれば、前記第１の封止シートは、前記ゼオライト側に配置される第１の多孔質フィルムと、当該第１の多孔質フィルムの外側に配置され、通気性を有する第１の不織布とを有し、前記第２の封止シートは、前記ゼオライト側に配置される第２の多孔質フィルムと、当該第２の多孔質フィルムの外側に配置され、前記第１の不織布よりも通気性が小さい第２の不織布とを有しているので、第１の封止シートの通気性が第２の封止シートの通気性よりも大きくなり、使用者から発生する臭気を効率良く吸着分解し、汗等の湿気を吸湿することができる。
【００３８】
また、請求項５の発明によれば、前記第１及び第２の不織布は、外表面にエンボス加工が施されているので、使用者の体温保持や肌触り等を好ましいものとすることができる。
【００３９】
また、請求項６の発明によれば、前記第１及び第２の不織布は、前記第１の不織布のエンボス模様が前記第２の不織布のエンボス模様よりも粗いか、前記第２の不織布が前記第１の不織布と同じ粗さのエンボス模様を有しているので、消臭マットが寝具（シーツ）に対してずれないようにすることができる。
【００４０】
また、請求項７の発明によれば、前記ゼオライトは、０．５ｍｍ以下の粒径のゼオライトを含む場合、更に飛散抑制剤を混入するので、製造時におけるゼオライトの飛散を抑制し、シール部のシール性の低下を抑えることができる。
【００４１】
また、請求項８の発明によれば、前記飛散抑制剤は、塩化ナトリウム又は塩化カリウムであるので、安価な素材を使用することでゼオライト粉の飛散を簡易に抑制すると共に、消臭マットのコストダウンを図ることができる。
【図面の簡単な説明】
【図１】この発明の実施の形態である消臭マットの平面図である。
【図２】図１の消臭マットにおけるゼオライトの収容部の断面図である。
【図３】飛散抑制剤を含むゼオライトを用いた場合における図２に示す収容部の断面図である。
【図４】図１に示す消臭マットの製造方法の一例を示す工程図である。
【符号の説明】
１  消臭マット
１ａ  収容部
１ｂ  シール部
２  ゼオライト
２ａ  微粉
３  飛散抑制剤
５  表封止シート
５ａ  第１多孔質フィルム
５ｂ  接着層
５ｃ  第１不織布
６  裏封止シート
６ａ  第２多孔質フィルム
６ｂ  接着層
６ｃ  第２不織布
１０  シールロール
１１  プレーンロール
Ｅｂ１，Ｅｂ２  凹凸模様
【図１】
2004338136.tif 000003
【図２】
2004338136.tif 000004
【図３】
2004338136.tif 000005
【図４】
2004338136.tif 000006